(57)【特許請求の範囲】
【請求項１】
第１方向において２つの垂直側壁と、第２方向において１つの垂直側壁と、第２方向において１つの傾斜側壁とを含む矩形柱の形状を有する柄部と、
前記柄部の先端に形成されたほぼ平面状のヘッド部とを有し、
前記ヘッド部は、
それぞれが前記ヘッド部の、第１方向において互いに対向する２つの側辺から、各側辺の一部で外部へ前記第１方向に突出する２つの円弧状の突出部と、
その自由端部が下方へ湾曲されてフック状に形成され、また前記ヘッド部の、前記第１方向と直交する第２方向の２つの側辺のうちの一方の側辺から、該一方の側辺の実質的な全長範囲で外部へ前記第２方向に突出する延伸部と、
２つの前記突出部と前記延伸部とが隣接する一方の側辺の基部の間に、また２つの前記突出部と前記ヘッド部とが前記第２方向の他方の側辺に隣接する側辺に形成された４つの接続部と、を含み、
前記接続部は曲率半径Ｒ≧０．０３ｍｍをもつ円弧形の接続部であることを特徴とするキノコ傘部を有する射出フック。
【請求項２】
第１方向において２つの垂直側壁と、第２方向において２つの傾斜側壁とを含む矩形柱の形状を有する柄部と、
前記柄部の先端に形成されたほぼ平面状のヘッド部とを有し、
前記ヘッド部は、
それぞれが前記ヘッド部の、第１方向において互いに対向する２つの側辺から、各側辺の一部で外部へ前記第１方向に突出する２つの円弧状の突出部と、
それぞれの自由端部がやや下方へ湾曲されてフック状に形成され、また前記ヘッド部の前記第１方向と直交する第２方向の２つの側辺から、各側辺の実質的な全長範囲で外部へ前記第２方向に突出する２つの延伸部と、
２つの前記突出部と２つの前記延伸部とが隣接する側辺の基部の間に形成された４つの接続部と、を含み、
前記接続部は曲率半径Ｒ≧０．０３ｍｍをもつ円弧形の接続部であることを特徴とするキノコ傘部を有する射出フック。
【請求項３】
前記第１方向と前記第２方向とが互いに直交する請求項１又は２に記載のキノコ傘部を有する射出フック。
【請求項４】
前記柄部と前記ヘッド部とが１つの個体に一体形成される請求項１又は２に記載のキノコ傘部を有する射出フック。
【請求項５】
前記ヘッド部は多辺形の輪郭をなしている請求項１又は２に記載のキノコ傘部を有する射出フック。
【請求項６】
プラスチック製の基材層と、
前記基材層に一体形成された、複数の請求項１又は２に記載のキノコ傘部を有する射出フックと、
を有し、
前記接続部は曲率半径Ｒ≧０．０３ｍｍをもつ円弧形の接続部であることを特徴とする面ファスナー。
【請求項７】
前記第１方向と前記第２方向とが互いに直交する請求項６に記載の面ファスナー。
【請求項８】
前記柄部と前記ヘッド部とが１つの個体に一体形成される請求項６又は７に記載の面ファスナー。
【請求項９】
前記ヘッド部は多辺形の輪郭をなしている請求項６から８のいずれかに記載の面ファスナー。
【発明の詳細な説明】
【技術分野】
【０００１】
本発明は、メカニカルファスナーに係り、より詳しくは、キノコ傘部を有する射出フック及び該キノコ傘状の射出フックを含む面ファスナーに関する。
【背景技術】
【０００２】
面ファスナーは公知のメカニカルファスナーであり、例えば、「マジックテープ（登録商標）」と呼ばれているフックアンドループ（ｈｏｏｋ  ａｎｄ  ｌｏｏｐ）型の面ファスナーである。面ファスナーは、フック片とループ片とを含み、前記フック片は、プラスチック製の基材層と、該基材層の表面に形成された複数の射出フックとを有する。前記ループ片は、織物製の複数のループを有する。前記ループと前記フック片の射出フックとが係合することにより固着効果が提供される。面ファスナーのようなメカニカルファスナーは、係合しやすさ及び分離しやすさの特性を持つため、２つの部材に対して分離可能な固着が要求される各領域、たとえば、衣類、靴や帽子、スポーツ用品、個人衛生用品（例えばオムツ）、線材の整理などの領域に広汎的に使用されている。
【０００３】
キノコ傘状の射出フックは公知の面ファスナーにおけるフックにおいて良く見られている。従来のキノコ傘状の射出フックは、図１に示されるように、略円柱状のフック本体と、前記フック本体の先端に形成された略円形状のヘッド部とを有する。
【０００４】
しかし、このような円形状のヘッド部を有する射出フックが織物製のループと係合すると、該ヘッド部の周囲にループと係合できる突角がないため、フックとループとの係合率が低く、係合力が不足になる欠点などが存在していた。また、このような円形状のヘッド部を有する射出フックの場合、ループが完全に該ヘッド部と係合してから有効な係合状態が形成されるため、確実な係合を提供できるものの、分離しようとする場合、織物製のループが切断されて損傷してしまうため、繰り返して使用すると、織物製ループの損傷率が高くなり、フック片とループ片との係合力が激減し、係合作用がなくなるにいたることもあり得、使用の寿命が短すぎる欠点が存在している。
【０００５】
上記の従来の円形状のキノコ傘部を有する射出フックの欠点を解決するために、本願発明者たちが、キノコ傘部を有する射出フックの改良を提案した（例えば、特許文献１参照）。図２に示されるように、このような改良したキノコ傘部を有する射出フックは、略四角柱形のフック本体と、略八角形のヘッド部とを有する。この多角形のヘッド部が、織物製のループと有効に係合する突角を有するため、ループとの係合率を向上し且つ緊密な係合効果が生じ、そして、分離するとき、織物製のループが破壊されず面ファスナーの使用寿命が長くなる効果を奏することができる。
しかしながら、この多角形のヘッド部を有するフックの改良に多くの利点をもたらすことができるものの、不足な部分も存在していた。例えば、ループとの係合率において方向性による差異性、即ち、縦方向の係合率が横方向の係合率よりも高い差異性が存在していた。また、このような多角形のヘッド部を有するフックは突角によりループと係合するため、剥離強度が不足するおそれもある。
【先行技術文献】
【特許文献】
【０００６】
【特許文献１】台湾特許第Ｉ３７１２４７号公報
【発明の概要】
【発明が解決しようとする課題】
【０００７】
上記の従来のキノコ傘部を有する射出フックに存在していた欠点を解決するために、発明者らが従来のキノコ傘部を有する射出フックを改良し、前記欠点を有効に解決できる、本願発明に係るキノコ傘部を有する射出フックを完成した。
本発明は、係合率及び剥離強度においてより良い平衡効果を得られるキノコ傘部を有する射出フックを提供することを目的とする。
また、機械方向（ＭＤ）及び横方向（ＣＤ）においてループとの係合に方向性の差異が生じないキノコ傘部を有する射出フックを提供することをもう一つの目的とする。
【課題を解決するための手段】
【０００８】
本願発明は、斬新なキノコ傘部を有する射出フックを提供することにより、上記目的を達成することができる。本発明の第１実施例によると、該キノコ傘部を有する射出フックは、柄部と、前記柄部の先端に形成されたほぼ平面状のヘッド部とを有し、前記ヘッド部は、それぞれが前記ヘッド部の、第１方向において互いに対向する２つの側辺から、各側辺の一部で外部へ前記第１方向に突出する２つの突出部と、その自由端部が下方へ湾曲してフック状に形成され、また前記ヘッド部の、前記第１方向と直交する第２方向の２つの側辺のうちの一方の側辺から、該一方の側辺の実質的な全長範囲で外部へ前記第２方向に突出する延伸部と、２つの前記突出部と前記延伸部とが隣接する側辺の基部の間に、また２つの前記突出部と前記ヘッド部とが前記第２方向の他方の側辺に隣接する側辺に形成された４つの接続部と、を含むものである。
【０００９】
また、本発明の第２実施例によると、該キノコ傘部を有する射出フックは、柄部と、前記柄部の先端に形成されたほぼ平面状のヘッド部とを有し、前記ヘッド部は、それぞれが前記ヘッド部の、第１方向において互いに対向する２つの側辺から、各側辺の一部で外部へ前記第１方向に突出する２つの突出部と、それぞれの自由端部がやや下方へ湾曲してフック状に形成され、また前記ヘッド部の前記第１方向と直交する第２方向の２つの側辺から、各側辺の実質的な全長範囲で外部へ前記第２方向に突出する２つの延伸部と、２つの前記突出部と２つの前記延伸部とが隣接する側辺の基部の間に形成された４つの接続部と、を含むものである。
【００１０】
本発明の他の態様によると、基材層と、前記基材層の表面に一体形成されたキノコ傘部を有する複数の射出フックとを備える面ファスナーであって、各前記射出フックは、それぞれが前記ヘッド部の、第１方向において互いに対向する２つの側辺から、各側辺の一部で外部へ前記第１方向に突出する２つの突出部と、その自由端部がやや下方へ湾曲してフック状に形成され、また前記ヘッド部の前記第１方向と直交する第２方向の２つの側辺のうちの一方の側辺から、該一方の側辺の実質的な全長範囲で外部へ前記第２方向に突出する延伸部と、２つの前記突出部と前記延伸部とが隣接する一方の側辺の基部の間に、また２つの前記突出部と前記ヘッド部とが前記第２方向の他方の側辺に隣接する側辺に形成された複数の接続部と、を含む前記面ファスナーが提供される。
【００１１】
本発明の更なる他の態様によると、基材層と、前記基材層の表面に一体形成されたキノコ傘部を有する複数の射出フックとを備える面ファスナーであって、前記ヘッド部は、それぞれが前記ヘッド部の、第１方向において互いに対向する２つの側辺から、各側辺の一部で外部へ前記第１方向に突出する２つの突出部と、それぞれの自由端部がやや下方へ湾曲してフック状に形成され、また前記ヘッド部の前記第１方向と直交する第２方向の２つの側辺から、各側辺の実質的な全長範囲で外部へ前記第２方向に突出する２つの延伸部と、２つの前記突出部と２つの前記延伸部とが隣接する側辺の基部の間に形成された複数の接続部と、を含む前記面ファスナーが提供される。
【００１２】
本発明の他の実施例、態様、及び利点については、図面などに基づいて説明し、本発明はより明白になるだろう。
【図面の簡単な説明】
【００１３】
【図１】図１は、従来のキノコ傘部を有する射出フックの模式斜視図である。
【図２】図２は、従来の他のキノコ傘部を有する射出フックの模式斜視図である。
【図３】図３は、本発明の第１実施例に係るキノコ傘部を有する射出フックの模式斜視図である。
【図４】図４は、図３の射出フックの端面図である。
【図５】図５は、図３の射出フックの平面図である。
【図６】図６は、本発明の第２実施例に係るキノコ傘部を有する射出フックの模式斜視図である。
【図７】図７は、図６の射出フックの端面図である。
【図８】図８は、図６の射出フックの平面図である。
【図９】図９は、本発明の他の形態の第１実施例に係る面ファスナーの模式斜視図である。
【図１０】図１０は、本発明の他の形態の第２実施例に係る面ファスナーの模式斜視図である。
【発明を実施するための形態】
【００１４】
次に、図４乃至図８に示された実施例により、本発明のキノコ傘部を有する射出フックについて説明する。
【００１５】
図３は、本発明の第１実施例に係るキノコ傘部を有する射出フック３００を示す斜視図であり、図４は図３の射出フック３００の端面図であり、図５は図３の射出フック３００の平面図である。
【００１６】
図３〜図５に示されるように、射出フック３００は、柄部３１０と、前記柄部３１０の先端に一体形成されたヘッド部３２０とを有する。この実施例では、前記柄部３１０はやや矩形柱の形状を成し、第１方向ＣＤ（横方向ともいう）上の２つの垂直側壁と、第２方向ＭＤ（機械方向ともいう）上の一垂直側壁と、第２方向ＭＤ上の一傾斜側壁とを含み、また図３及び図４に示されるように、前記第１方向と前記第２方向とは互いに直交している。
【００１７】
前記ヘッド部３２０が前記柄部３１０に一体形成され且つ平面状をなしている。前記ヘッド部３２０は２つの突出部３３０を有し、これらの突出部３３０が、前記ヘッド部３２０の、前記第１方向ＣＤにおいて互いに対向する２つの側辺から、各側辺の一部で外部へ前記第１方向に突出するものである。この実施例では、該突出部３３０が円弧状の突出部である。また、前記ヘッド部３２０は延伸部３４０を更に有する。該延伸部３４０が、前記ヘッド部３２０の前記第２方向ＭＤの２つの側辺のうちの一方の側辺（この実施例において前記柄部３１０の傾斜側壁と同じ側の側辺）から、該一方の側辺の実質的な全長範囲で外部へ前記前記第２方向ＭＤに突出する。これにより、前記延伸部３４０がより広い幅をもつようになる。また、前記延伸部３４０の自由端部がやや下方へ湾曲してフック状をなしている。そして、前記ヘッド部３２０は４つの接続部３５０を有する。これらの接続部３５０のそれぞれは、２つの前記突出部３３０と前記延伸部３４０とが隣接する側辺の基部の間に、また２つの前記突出部３３０と前記ヘッド部３２０とが前記第２方向の他方の側辺３６０に隣接する側辺の間に形成されている。図面に示されるように、この実施例では、前記接続部３５０が曲率半径Ｒ≧０．０３ｍｍをもつ円弧形の接続部である。本発明の射出フック３００における前記ヘッド部３２０の全体外形は、平面視において多辺形の輪郭を呈している。
【００１８】
次に、図６〜図８を参照して本発明の第２実施例に係るキノコ傘部を有する射出フック４００を説明する。
【００１９】
図６はこの実施例に係るキノコ傘部を有する射出フック４００の斜視図であり、図７は図６の射出フック４００の端面図であり、図８は図６の射出フック４００の平面図である。
【００２０】
図６〜図８に示されるように、この実施例の射出フック４００の構成は前記第１実施例の射出フック３００と類似している。即ち、該射出フック４００も柄部４１０と、前記柄部４１０の先端に形成されたヘッド部４２０とを有する。そして、この実施例の射出フック４００では、柄部４１０は２つの傾斜側壁を有し、またヘッド部４２０は第１方向ＣＤにある２つの突出部４３０の他に、第２方向ＭＤにある延伸部４４０と、各突出部４３０と各延伸部４４０とが隣接する側辺の基部の間に形成された４つの接続部４５０とを有する点は、第１実施例の射出フック３００と異なっている。
なお、第１実施例の接続部３５０と同じように、この実施例の接続部４５０も曲率半径Ｒ≧０．０３ｍｍをもつ円弧形の接続部である。
【００２１】
次に、図９及び図１０は本発明の他の態様に係る面ファスナー５００を示す。
【００２２】
図９に示されるように、面ファスナー５００は、プラスチック製の基材層５１０と、前記基材層５１０の表面に一体形成された複数のキノコ傘部を有する射出フック３００とを有する。
【００２３】
図１０は面ファスナー５００の他の実施例を示す。該面ファスナー５００は、プラスチック製の基材層５１０と、前記基材層５１０の表面に一体形成された複数のキノコ傘部を有する射出フック４００とを有する。
【００２４】
本発明のキノコ傘部を有する射出フック及び該射出フックを有する面ファスナーはプラスチック射出成形型による方法により製造することができる。例えば、出願人が出願した台湾特許第Ｉ３７１４２７号公報に開示された製造方法により製造することができる。
【００２５】
上記の構成特徴により、本発明のキノコ傘部を有する射出フックは下記のような利点を有する。
１．本発明の射出フックのヘッド部が第１方向（横方向）及び第２方向（機械方法）にループと係合可能な構造（即ち突出部と延伸部）を形成しているため、これらの２つの方向に、無方向性のループ係合率を提供することができる。
２．本発明の延伸部はより広い幅をもつため、該延伸部がより広い幅をもつため、該延伸部の幅方向における両端の突角が斜め方向（即ち、第１方向又は第２方向との角度方向）においてループと係合することができ、多方向性の係合機能をもつ射出フックを提供することができる。
３．本発明のキノコ傘部を有する射出フックに形成されたヘッド部において、突出部と延伸部との間に形成された接続部が構造を補強する機能を発揮するため、突出部と延伸部とがより固い機械強度をもつようになり、繰り返して使用することにつれて突出部と延伸部とが破壊されることを防止することができ、使用寿命を延長することもできる。
４．本発明のキノコ傘部を有する射出フックに形成されたヘッド部において、延伸部の自由端部がやや下方へ湾曲してフック状をなしているため、ループとより確実かつ有効に係合でき、より高い剥離強度を提供することが可能である。
【００２６】
上記の図面を参照して、本発明に係るキノコ傘部を有する射出フック及び面ファスナーについて説明したが、本発明は上記の記述及び図面に示された構成及び特徴に限られるものではない。上記に記載された技術内容の原理及び思想を逸脱しない範囲で、本発明を変更または変化させることができ、これらの変更も変化も本発明に含まれていることは言うまでもない。
【符号の説明】
【００２７】
３００、４００    射出フック（キノコ傘部を有する射出フック）
３１０、４１０    柄部
３２０、４２０    ヘッド部
３３０、３４０    突出部
３５０、４５０    接続部
３６０    他方の側辺
５００    面ファスナー
５１０    プラスチック製の基材層
ＣＤ    第１方向（横方向）
ＭＤ    第２方向（機械方向）
【図１】
0006266693.tif 000002
【図２】
0006266693.tif 000003
【図３】
0006266693.tif 000004
【図４】
0006266693.tif 000005
【図５】
0006266693.tif 000006
【図６】
0006266693.tif 000007
【図７】
0006266693.tif 000008
【図８】
0006266693.tif 000009
【図９】
0006266693.tif 000010
【図１０】
0006266693.tif 000011